(57)【特許請求の範囲】
【請求項１】
マスタ装置と接続されて、前記マスタ装置を介して送信される通信データを受信し、並列接続された複数のスレーブ装置のうち少なくとも一つのスレーブ装置に前記受信された通信データを送信する並列通信装置において、
前記マスタ装置を介して送信される通信データを受信する第１受信端子と、
前記第１受信端子を介して受信された通信データを前記少なくとも一つのスレーブ装置に送信する第１送信端子と、
前記第１送信端子と複数のスレーブ装置との間に形成される通信ラインを取り締まるスイッチと、
前記マスタ装置を介して送信される通信データを受信し、前記受信された通信データに含まれた目的地情報を利用して前記通信データが送信される第１スレーブ装置を確認し、前記第１スレーブ装置が確認されると、前記目的地情報が削除された前記通信データを前記第１スレーブ装置に送信する制御部と、を含み、
前記制御部は、
前記スイッチを制御して前記第１送信端子と前記通信データが送信される第１スレーブ装置との間に形成された通信ラインを活性化する、
並列通信装置。
【請求項２】
前記マスタ装置と前記並列通信装置との間の約束によって複数のスレーブ装置には、前記複数のスレーブ装置を各々区分するための仮想の局番情報が指定され、
前記目的地情報は、
前記通信データが送信されるスレーブ装置に指定された局番情報である、
請求項１に記載の並列通信装置。
【請求項３】
前記制御部は、
前記第１スレーブ装置で使用する通信プロトコルを確認して前記確認された通信プロトコルに対応するように前記受信された通信データを変換し、
前記変換された通信データを前記第１スレーブ装置に送信する、
請求項２に記載の並列通信装置。
【請求項４】
前記第１スレーブ装置を介して送信される応答データを受信する第２受信端子と、
前記第２受信端子を介して受信された応答データを前記マスタ装置に送信する第２送信端子をさらに含む、
請求項１乃至３のうち何れか一項に記載の並列通信装置。
【請求項５】
前記制御部は、
前記通信データが送信された第１スレーブ装置を介して前記応答データが受信される時点まで前記第１送信端子と前記第１スレーブ装置との間に形成された通信ラインの活性化を維持する、
請求項４に記載の並列通信装置。
【請求項６】
前記制御部は、
前記応答データが受信されると、前記応答データに前記応答データの出発地に対する出発地情報を挿入し、前記出発地情報が挿入された応答データを前記マスタ装置に送信し、
前記出発地情報は、
前記応答データを送信した第１スレーブ装置に仮想で指定された局番情報を含む、
請求項５に記載の並列通信装置。
【請求項７】
前記制御部は、
前記マスタ装置で使用する通信プロトコルを確認して前記確認された通信プロトコルに対応するように前記受信された応答データを変換し、
前記変換された応答データを前記マスタ装置に送信する、
請求項６に記載の並列通信装置。
【請求項８】
マスタ装置と接続されて、前記マスタ装置を介して送信される通信データを受信し、並列接続された複数のスレーブ装置のうち少なくとも一つのスレーブ装置に前記受信された通信データを送信する並列通信装置の通信方法において、
前記マスタ装置を介して送信される通信データを受信するステップと、
前記通信データ内に含まれた目的地情報を確認するステップと、
前記確認された目的地情報を利用して、前記複数のスレーブ装置のうち前記通信データが送信される第１スレーブ装置を確認するステップと、
前記第１スレーブ装置が確認される場合、前記第１スレーブ装置と接続された通信ラインを活性化するステップと、
前記通信データに含まれた目的地情報を削除するステップと、
前記活性化された通信ラインを介して前記目的地情報が削除された通信データを前記第１スレーブ装置に送信するステップと、
を含む並列通信方法。
【請求項９】
前記マスタ装置と前記並列通信装置との間の約束によって複数のスレーブ装置には、前記複数のスレーブ装置を各々区分するための仮想の局番情報が指定され、
前記目的地情報は、
前記通信データが送信されるスレーブ装置に仮想で指定された局番情報である、
請求項８に記載の並列通信方法。
【請求項１０】
前記第１スレーブ装置で使用する通信プロトコルを確認して、前記確認された通信プロトコルに対応するように前記受信された通信データを変換するステップをさらに含み、
前記送信するステップは、
前記変換された通信データを前記第１スレーブ装置に送信するステップを含む、
請求項９に記載の並列通信方法。
【請求項１１】
前記送信した通信データに対応する応答データが受信されると、前記受信された応答データを前記マスタ装置に送信するステップをさらに含み、
前記第１スレーブ装置と接続された通信ラインは、
前記送信した通信データに対応する応答データが受信される時点まで活性化を維持する、
請求項８乃至１０のうち何れか一項に記載の並列通信方法。
【請求項１２】
前記応答データが受信されると、前記応答データに前記応答データの出発地に対する出発地情報を挿入するステップをさらに含み、
前記出発地情報は、
前記応答データを送信した第１スレーブ装置に仮想で指定された局番情報を含む、
請求項１１に記載の並列通信方法。
【請求項１３】
マスタ装置で使用する通信プロトコルを確認して、前記確認された通信プロトコルに対応するように前記応答データを変換するステップをさらに含む、
請求項１２に記載の並列通信方法。
【発明の詳細な説明】
【技術分野】
【０００１】
本発明は、並列通信装置に関し、特に太陽光インバータに適用する並列通信装置及びその通信方法に関するものである。
【背景技術】
【０００２】
太陽光発電システムは、太陽光モジュールと太陽光インバータからなる。また、大規模太陽光発電システムの場合には、複数の太陽光モジュールと複数の太陽光インバータを接続して発電している。
【０００３】
この際、太陽光インバータは、太陽光モジュールから発生する直流エネルギーを利用して常用系統に電力を伝達する発電装置である。
【０００４】
一方、太陽光インバータの容量は制限されており、これによって大容量の発電設備を構築するためには複数の太陽光インバータをお互い並列に接続して出力が大きくなるようシステムを構成するべきである。
【０００５】
この複数の太陽光インバータを並列に構成して太陽光発電システムを構成する場合、各々の太陽光インバータは相互間の通信を行わなければならず、通信のための通信方式はシステム構成において非常に重要な要素となる。
【０００６】
図１は、従来技術による太陽光インバータ通信装置の構成図である。
【０００７】
図１を参照すると、太陽光インバータ通信装置は、マスタ装置１０と、マスタ装置１０の通信送信線路を介して接続された少なくとも一つのスレーブ装置２０からなる。図１は、１台のマスタ装置１０と、３台のスレーブ装置２０が接続された並列通信装置の例示である。
【０００８】
並列通信を構成する際、マスタ装置１０から各々のスレーブ装置２０と個別的通信を行うために、各々のスレーブ装置２０には局番が付けなければならない。局番は、各々のスレーブ装置２０をお互い区分するための識別番号である。
【０００９】
太陽光インバータ通信装置の動作を見ると、マスタ装置１０から通信データを送信すると、通信網で接続された全スレーブ装置２０は送信される通信データを受信する。
【００１０】
この際、送信される通信データはマスタ装置１０が指定した特定スレーブ装置２０にだけ適用されなければならない。
【００１１】
これによって、マスタ装置１０は通信データの最終目的地（通信データが適用されるスレーブ装置）に対応する局番情報を通信データに挿入する。
【００１２】
これによって、各々のスレーブ装置２０は、受信の通信データに含まれた局番情報が自己の局番情報である時のみマスタ装置１０との通信に応答する。
【００１３】
言い換えると、マスタ装置１０を介して送信された通信データは全スレーブ装置２０で受信されるが、通信データに含まれた局番情報に対応するスレーブ装置だけが送信された通信データに応答するので、並列通信が可能である。
【００１４】
上述のように、複数のスレーブ装置２０を並列に接続して通信を行う際には各太陽光インバータに局番を付与して相互区分をすることによって、通信する際に生じえる各スレーブ装置間のデータ衝突や通信エラーを防止した。
【００１５】
しかし、上述のように従来の通信方式を利用した並列通信を行うためには各々のスレーブ装置２０に局番を指定しなければならないので通信プロトコルに局番を反映するべきであり、もし各々のスレーブ装置２０に局番を指定する機能がない場合、上述の並列通信システムを構成できないという問題がある。
【００１６】
また、製造会社がお互い異なるスレーブ装置を並列接続して通信しようとする場合、各々のスレーブ装置において使用する通信プロトコルが異なると並列通信の構成が不可能であるから、並列通信を構成する際に通信プロトコルが同じスレーブ装置のみを選定しなければならない不便が存在する。
【発明の概要】
【発明が解決しようとする課題】
【００１７】
本発明では、マスタ装置と、局番指定機能がない複数のスレーブ装置を通信網で接続して並列通信を行えるように溝成する。
【００１８】
また、本発明では、マスタ装置と、お互い異なる通信プロトコルを使用する複数のスレーブ装置を通信網で接続して並列通信を行えるように構成する。
【００１９】
一方、本発明で達成しようとする技術的課題は、以上で言及した技術的課題に制限されず、言及されない他の技術的課題は、以下で提案される本発明が属する技術分野で通常の知識を持つ者に明確に理解されるだろう。
【課題を解決するための手段】
【００２０】
本発明による並列通信装置は、マスタ装置を介して送信される通信データを受信する第１受信端子と、前記第１受信端子を介して受信される通信データをスレーブ装置に送信する第１送信端子と、前記第１送信端子と複数のスレーブ装置間に形成される通信ラインを取り締まるスイッチと、前記通信データに含まれた目的地情報を利用して前記通信データが送信される第１スレーブ装置を確認し、前記確認された第１スレーブ装置に前記受信された通信データが送信されるように制御する制御部と、を含み、前記制御部は、前記第１送信端子と前記第１スレーブ装置との間に形成される通信ラインが活性化されるように前記スイッチを制御する。
【００２１】
また、本発明による並列通信方法は、マスタ装置を介して送信される通信データを受信するステップと、前記通信データ内に含まれた目的地情報を確認して、複数のスレーブ装置のうち前記通信データが送信される第１スレーブ装置を確認するステップと、前記第１スレーブ装置が確認されると、前記第１スレーブ装置と接続される通信ラインを活性化するステップと、前記活性化される通信ラインを介して前記受信される通信データを前記第１スレーブ装置に送信するステップと、を含む。
【発明の効果】
【００２２】
上述の本発明によれば、マスタ装置と局番指定機能がない複数のスレーブ装置を通信網で接続して並列通信を行うことができる。また、上述の本発明によれば、複数のスレーブ装置で使用する通信プロトコルと、マスタ装置で使用する通信プロトコルがお互い異なっても正常の並列通信を効率的に行うことができる。
【図面の簡単な説明】
【００２３】
【図１】従来技術による太陽光インバータ通信装置の構成図である。
【図２】第１実施例による通信システムの構成図である。
【図３】第２実施例による通信システムの構成図である。
【図４】実施例による通信データの送信方法をステップ別に表したフローチャートである。
【図５】実施例による応答データの送信方法をステップ別に表したフローチャートである。
【発明を実施するための形態】
【００２４】
本発明は、多様な変更を加えることができ、幾つかの実施例を有することができるところ、特定実施例を図面に例示して詳しく説明する。
【００２５】
しかし、これは本発明を特定した実施形態に対して限定することではなく、本発明の思想及び技術範囲に含まれる全ての変更、均等物乃至代替物を含むことと理解されるべきである。
【００２６】
第１、第２の用語は、多様な構成要素を説明する際に使用されることがあるが、構成要素は用語によって限定されることはない。用語は一つの構成要素を異なる構成要素と区別する目的にだけ使用される。例えば、本発明の権利範囲を外さないと同時に、第１構成要素は第２構成要素として命名されてもよく、同様に第２構成要素も第１構成要素として命名されてもよい。「及び／または」という用語は、複数の関連した記載の項目の組み合わせまたは複数の関連した記載の項目のうち何れかの項目を含む。
【００２７】
また、他の定義がない限り、技術的または科学的用語を含めて本明細書で使用される全ての用語は、本発明が属する技術分野において通常の知識を持つ者によって一般的に理解されることと同じ意味を有する。一般的に使用される辞書に定義されている用語は、関連技術の文脈上に持つ意味と一致する意味を持つことに解析されなければならず、本願において明白に定義されない限り、理想的であるかあまり形成的な意味に解析されることはない。
【００２８】
以下、添付の図面を参照して、本発明の好ましい実施例をさらに詳しく説明する。本発明を説明することにおいて、全体的な理解を容易にするために、図面上の同じ構成要素に対しては同じ参照符号を使用し、同じ構成要素に対して重なる説明は略する。
【００２９】
図２は、第１実施例による通信システムの構成図で、図３は、第２実施例による通信システムの構成図である。
【００３０】
図２は、２台のスレーブ装置２００が並列に接続されている場合に対応する通信システムの構成図で、図３は、Ｎ台のスレーブ装置２００がお互い並列に接続されている場合に対応する通信システムの構成図である。
【００３１】
言い換えると、実施例による通信システムで並列に接続されるスレーブ装置２００の数は、主たる要素ではなく、スレーブ装置２００の数が増加するほど、増加されるスレーブ装置の数に対応する通信ライン及び増加した通信ラインを取り締まるためのスイッチのみが選択的に増えるだろう。
【００３２】
図２を参照すると、通信システムはマスタ装置１００、複数のスレーブ装置２００及び並列通信装置３００を含む。
【００３３】
複数のスレーブ装置２００は、第１スレーブ装置２０１及び第２スレーブ装置２０２を含む。
【００３４】
また、並列通信装置３００は、マスタ装置１００を介して送信される通信データを受信し、受信された通信データを複数のスレーブ装置２００のうち何れか一つのスレーブ装置に送信する。
【００３５】
また、並列通信装置３００は、スレーブ装置２００を介して送信される応答データを受信し、受信した応答データをマスタ装置１００に送信する。
【００３６】
以下、上述の通信システムに対してより具体的に説明する。
【００３７】
マスタ装置１００は、複数のスレーブ装置２００の動作状態のモニタリングを行い、モニタリング結果に応じて複数のスレーブ装置２００の動作を制御する。
【００３８】
スレーブ装置２００は、太陽光発電用インバータであってもよい。太陽光発電用インバータは逆変換部、フィルタ部、常用周波変圧器、インバータ出力部で構成されることができる。
【００３９】
太陽光発電用インバータの動作を概略して見る。
【００４０】
太陽電池アレイの直流電力の入力部から直流電力が入力されると、逆変換部は直流電力を交流電力に変換する。また、逆変換部は系統の位相と周波数を計算し、それに従って系統と同期して変換して交流電力を出力する。
【００４１】
逆変換部によって出力される交流電力はフィルタ部を経て正弦波に変換された上、常用周波変圧器に伝達される。常用周波変圧器は系統と電気的に絶縁されて、上述の伝達される正弦波を昇圧または降圧した後、インバータ出力部を介して系統に出力する。
【００４２】
上述の太陽光発電用インバータは、大容量の発電設備を構築するために複数のインバータがお互い並列に接続されて、太陽光発電システムを構成する。
【００４３】
並列通信装置３００は、通信データまたは応答データの送受信を制御する制御部３１０と、制御部３１０から入力される制御信号に応じて各々のスレーブ装置２００と接続された通信ラインを取り締まる複数のスイッチ３２０を含む。
【００４４】
この際、図２に示すように、スレーブ装置が２台で構成される場合、複数のスイッチ３２０は第１スレーブ装置２０１と接続される通信ラインを取り締まる第１スイッチと、第２スレーブ装置２０２と接続された通信ラインを取り締まる第２スイッチとを含むことができる。
【００４５】
また、図３に示すように、スレーブ装置２００がＮ台で構成される場合、スイッチはスレーブ装置２００の数と同じＮ台で構成されることができる。
【００４６】
制御部３１０は、マスタ装置１００から送信される通信データを受信する第１受信端子３１１と、第１受信端子３１１を介して受信された通信データをスレーブ装置２００に送信する第１送信端子３１２と、スレーブ装置２００から送信される応答データを受信する第２受信端子３１３と、第２受信端子３１３を介して受信された応答データをマスタ装置１００に送信する第２送信端子３１４とを含む。
【００４７】
言い換えると、制御部３１０は、マスタ装置１００を介して送信される通信データを受信する受信端子と、受信した通信データをスレーブ装置に送信するための送信端子とを含む。
【００４８】
また、制御部３１０は、スレーブ装置を介して送信される応答データを受信する受信端子と、受信した応答データをマスタ装置に送信する送信端子とを含む。
【００４９】
これによって、制御部３１０は、複数の受信端子と複数の送信端子を含む。
【００５０】
以下、添付の図４及び図５を参照して、上述と同様に構成された通信システムの動作に対してより詳しく説明する。この際、説明の便宜のために、図２に図示された構成要素と結び付けて、図４及び図５に図示された通信システムの動作を説明する。
【００５１】
図４は、本発明の実施例による通信データの送信方法をステップ別に示したフローチャートで、図５は、本発明の実施例による応答データの送信方法をステップ別に示したフローチャートである。
【００５２】
この際、実施例を説明する際に通信データ及び応答データを用いるが、通信データはマスタ装置１００からスレーブ装置３００に送信されるデータであり、応答データは通信データに応答してスレーブ装置３００からマスタ装置１００に送信されるデータである。
【００５３】
先ず、図４を参照すると、制御部３１０は第１受信端子３１１を介してマスタ装置１００から送信される通信データを受信する（ステップＳ１００）。
【００５４】
通信データは、マスタ装置１００から特定スレーブ装置３００に送信されるデータであり、通信データには特定スレーブ装置３００に反映される動作状態情報などを含めてもよい。
【００５５】
制御部３１０は、通信データが受信されると、受信された通信データ内に含まれた目的地情報を確認し（ステップＳ１１０）、確認された目的地情報を利用して通信データが送信されるスレーブ装置を確認する（ステップＳ１２０）。
【００５６】
即ち、通信データには目的地情報を含めている。言い換えると、マスタ装置１００は特定スレーブ装置に送信する通信データが存在すると、通信データに特定スレーブ装置に対応する目的地情報を挿入し、目的地情報が挿入された通信データを並列通信装置２００に送信する。
【００５７】
これによって、制御部３１０は、通信データに含まれた目的地情報を解析して、通信データを伝達するスレーブ装置を確認する。
【００５８】
この際、目的地情報は、接続された複数のスレーブ装置２００を各々区分するために付与された局番情報であってもよい。この際、各々のスレーブ装置２００には局番が指定されていない。つまり、局番情報は、マスタ装置１００と通信装置３００との間にだけ複数のスレーブ装置２００を区分するために仮想で指定した識別情報といえる。
【００５９】
例えば、マスタ装置１００と通信装置３００との間の約束によって、第１スレーブ装置２０１は「１」という局番情報が仮想で指定されることができ、第２スレーブ装置２０２は「２」という局番情報が仮想で指定されることができ、第Ｎスレーブ装置は「Ｎ」という局番情報が仮想で指定されることができる。
【００６０】
これによって、マスタ装置１００は特定スレーブ装置と通信するデータが発生する場合、スレーブ装置に送信する通信データを生成し、生成した通信データにスレーブ装置に仮想で指定された局番情報を挿入する。この際、挿入された局番情報は、通信データが送信されるスレーブ装置に対応する目的地情報であってもよい。
【００６１】
制御部３１０は通信データに含まれた目的地情報が確認されると、受信された通信データの目的地に対応するスレーブ装置を確認する。例えば、目的地情報が「１」である場合、通信データの最終目的地は第１スレーブ装置２０１であると確認される。
【００６２】
制御部３１０は、通信データの最終目的地に対応するスレーブ装置２０１が確認される場合、通信データ内に含まれた目的地情報を削除する（ステップＳ１３０）。
【００６３】
即ち、目的地情報は、マスタ装置１００と通信装置３００との間にだけの約束情報である。言い換えると、目的地情報は各々のスレーブ装置２００で解析不可能な情報であり、マスタ装置１００と通信装置３００にだけ解析可能な情報である。
【００６４】
しかし、上述の目的地情報が通信データ内に含まれて特定スレーブ装置２００に送信される場合、スレーブ装置２００では通信データ内に含まれた目的地情報により通信データを間違えって解析する恐れがある。言い換えると、目的地情報が含まれた通信データがスレーブ装置に送信される場合、目的地情報によってデータ通信エラーなどの問題が発生する恐れがある。
【００６５】
これによって、実施例では、通信データの最終目的地に対応するスレーブ装置が確認されると、通信データ内に含まれた目的地情報を削除する。
【００６６】
制御部３１０は通信データに含まれた目的地情報が削除されると、通信データの形式と、通信データが送信されるスレーブ装置で使用するデータ形式を比較し、比較結果に応じて通信データの形式を変換する（ステップＳ１４０）。
【００６７】
即ち、実施例では、お互い異なる製造会社で製造された複数のスレーブ装置がお互い並列に接続されることができ、並列接続された複数のスレーブ装置ではお互い異なる通信プロトコルを使用してデータ通信を行える。
【００６８】
よって、制御部３１０は並列接続された各々のスレーブ装置２００で使用する通信プロトコルに対する情報を格納する。そして、制御部３１０は格納された情報を利用して後に通信プロトコルに対応するように通信データの形式を変換する。
【００６９】
これによって、マスタ装置１００は約束の共通規格形式に合わせて通信データを生成して通信装置３００に送信する。
【００７０】
そして、制御部３１０は通信データが受信されると、通信データが送信されるスレーブ装置の通信プロトコルを確認する。また、制御部３１０は確認したスレーブ装置の通信プロトコル及び通信データの通信プロトコルがお互い同じであるか否かを判断する。この際、通信データの通信プロトコルはマスタ装置１００で使用する通信プロトコルである。
【００７１】
制御部３１０は二つの通信プロトコルが同じである場合、変換ステップを行わず、目的地情報が削除された通信データをそのままスレーブ装置に送信する。しかし、制御部３１０は二つの通信プロトコルがお互い相違する場合、スレーブ装置で使用する通信プロトコルに合わせて受信された通信データの形式を変換する。
【００７２】
次に、制御部３１０は確認されたスレーブ装置と接続された通信ラインを活性化する（ステップＳ１５０）。
【００７３】
このため、制御部３１０は通信データが送信されるスレーブ装置が確認されると、スレーブ装置と接続された通信ラインを取り締まるスイッチを確認する。例えば、通信データの最終目的地が第１スレーブ装置２０１であると決定されると、第１スイッチＳＷ１がスレーブ装置と接続された通信ラインを取り締まるスイッチとして確認される。
【００７４】
スイッチが確認されると、制御部３１０はスイッチと接続された制御ラインを介して確認されたスレーブ装置と接続された通信ラインを活性化するための制御信号を出力する。
【００７５】
この際、通信データが受信される前には、各々の通信ラインを取り締まる全スイッチはオフ状態を維持している。言い換えると、全通信ラインは非活性化状態を維持している。
【００７６】
また、通信データが受信されると、制御部３１０は確認されたスイッチのみをオンに変換して、通信データが送信されるスレーブ装置と接続された通信ラインだけを活性化する。
【００７７】
これによって、制御部３１０は第１送信端子３１２を介して活性化された通信ラインで通信データを送信する（ステップＳ１６０）。
【００７８】
次に、図５を参照すると、制御部３１０は第２受信端子３１３を介して現在活性化されている通信ラインから送信される応答データを受信する（ステップＳ２００）。
【００７９】
この際、活性化されている通信ラインは、通信データの送信のために活性化された通信ラインである。言い換えると、通信データの最終目的地に対応するスレーブ装置と接続された通信ラインである。
【００８０】
また、応答データは送信された通信データに応答して通信データを受信したスレーブ装置がマスタ装置に送信するデータである。つまり、応答データは通信データを基準として動作が行われることによる処理結果信号である。
【００８１】
制御部３１０は応答データが受信されると、受信された応答データの出発地情報を確認する（ステップＳ２１０）。
【００８２】
即ち、制御部３１０は応答データを送信したスレーブ装置に対して仮想で指定された局番情報を確認する。
【００８３】
出発地情報が確認されると、制御部３１０は確認された出発地情報を受信された応答データ内に挿入する（ステップＳ２２０）。
【００８４】
制御部３１０は応答データ内に出発地情報が挿入されると、応答データを送信したスレーブ装置で使用する通信プロトコルと、マスタ装置で使用する通信プロトコルを比較し、二つの通信プロトコルがお互い同じであるか、または相違するかを確認する。
【００８５】
制御部３１０は二つの通信プロトコルがお互い同じである場合、出発地情報が挿入された応答データをそのままマスタ装置１００に送信する。しかし、制御部３１０は二つの通信プロトコルがお互い相違する場合、マスタ装置１００で使用する通信プロトコルに合わせて応答データの形式を変換する（ステップＳ２３０）。
【００８６】
制御部３１０は応答データの形式が変換されると、第２送信端子１３４を介してマスタ装置１００に送信する（ステップＳ２４０）。
【００８７】
この実施例によると、マスタと局番指定機能がない複数のスレーブ装置とを通信網で接続して並列通信を行うことができ、複数のスレーブ装置がマスタ装置と同じ通信プロトコルを使用しなくても、並列通信を行うことができる。
【００８８】
以上で本発明に対してその好ましい実施例を中心に説明したが、これはただの例示に過ぎず、本発明を限定するものではなく、本発明が属する分野の通常の知識を持つ者であれば、本発明の実質的な特性を外さない範囲内で、以上に例示されてない多様な変形と応用が可能であることがわかる。例えば、本発明の実施例に具体的に表した各溝成要素は変形して実施できるだろう。そして、この変形と応用に関係する違いは、添付の請求範囲から規定する本発明の範囲に含まれることと解析されなければならない。
【図１】
0005457505.tif 000002
【図２】
0005457505.tif 000003
【図３】
0005457505.tif 000004
【図４】
0005457505.tif 000005
【図５】
0005457505.tif 000006